(57)【要約】      （修正有）【構成】３個以上の吸盤を有し、その最初と最後の吸盤に紐を固止し、また最初と最後の吸盤間に設けた一個又は複数個の中間の吸盤を紐に移動可能に設け、最初と中間の吸盤間の紐に洗濯物、又はハンガー、物干し具等の洗濯器具等の洗濯物干し具を係止できる洗濯物用の簡易干し具である。【効果】紐の拡張又は縮小並びに張装形態の変化を図りつつ、洗濯物を効率よく・風及び／又は光が通り易く干すことができる。【選択図】図１
0003113640.tif 000002
【実用新案登録請求の範囲】
【請求項１】
少なくとも３個以上の吸盤を有し、その最初と最後の吸盤に紐を固止し、またこの最初と最後の吸盤間に設けた一個又は複数個の中間の吸盤を前記紐に移動可能に設け、前記最初と中間の吸盤間の紐に洗濯物、又はハンガー、物干し具等の洗濯器具等の洗濯物干し具を係止できる洗濯物用の簡易干し具。
【請求項２】
請求項１に記載の吸盤の脚にリングを付設し、このリングに前記紐を固止又は挿入する構成とした洗濯物用の簡易干し具。
【請求項３】
請求項１に記載の吸盤は、吸盤本体と脚で構成し、この脚に必要以上の負荷が掛かった際に、当該脚が前記吸盤本体より外れる構成とした洗濯物用の簡易干し具。
【請求項４】
請求項１に記載の紐を、前記中間の吸盤に設けた脚の孔に貫通し、この中間の吸盤を前記紐に沿って移動可能とする構成とした洗濯物用の簡易干し具。
【請求項５】
請求項１に記載の紐に設けた最初の吸盤と中間の吸盤及び／又は最後の吸盤の取付け間隔を変更することで、この紐の張装長さ及び／又は形態を変更可能な構成とした洗濯物用の簡易干し具。
【考案の詳細な説明】
【技術分野】
【０００１】
本考案は、浴室の壁間の幅又は高さ等（幅、高さ等）が随意変更しても、簡易かつ瞬時に対応できる洗濯物（洗濯物、又はハンガー、物干し具等の洗濯器具等の洗濯物干し具）用の簡易干し具に関する。
【背景技術】
【０００２】
従来の浴室用の洗濯物用の簡易干し具として知られているのは、吸盤付きの物干し具、又は壁間に設けた保持体内に、物干し竿を着脱自在とした物干し具等が知られている。そして、これらの物干し具は、浴室の空間の大小とか、洗濯物の枚数又は大きさ等を考慮し、その干し方の形態を変更すること、また前記空間を有効に利用すること等に関し配慮がなく、満足するには至っていない。また洗濯物の枚数が多い場合、またその寸法が大きい場合、外部に干すには抵抗がある場合等では、干せないという問題が発生する。従って、洗濯物用の干し具としての有効性・利便性、又は汎用性に関し改良の余地がある。
【０００３】
そして、この種の洗濯物用の簡易干し具において、吸盤と壁間の長さの変化に対応した先行文献としては、文献（１）〜（３）が上げられる。その概要を下記に説明する。先ず、文献（１）、（２）は吸盤を利用した洗濯物用の干し具で、この文献（１）は特開２００４−８５３１の「携帯用洗濯物干し具」の発明である。この発明は、吸盤の軸柱（脚）にフック付きの紐を捲装し、この紐を引出し自在とし、フックを吸盤の軸柱の穴、又は室内の突起物（手摺り、取手）又は吸盤に係止することで、紐を張装して物干し具とする構成であり、簡易な物干しとしての利用と、又は室内の過乾燥防止等を意図する。また文献（２）は特開平８−７１２９６号の「簡易携帯用物干し具」である。この発明は、略三角形の物干し板と対の吸盤との構成であり、この物干し板に洗濯用の物干し具を係止可能とし、壁面より離間して洗濯物を干すことを意図するとともに、吸盤を介して壁等の平滑面への簡易な取付けを意図する。尚、文献（３）として、浴室の壁間に洗濯物を係止できる発明を挙げると、特開２００３−８８６９９の「物干材の保持構造及び物干材」である。この発明は、壁間に固定され上方を開放した略凹形状の対の保持部材と、この保持部材に保持される長短の寸法の棒状の物干材であって、入浴時に邪魔にならないように物干材を安定して保持する。また入浴時に邪魔にならない物干材であって、長短の物干し材を選択することで浴室の壁間のサイズに合わせて容易に装置できること等を意図する。
【０００４】
【特許文献１】特開２００４−８５３１
【特許文献２】特開平８−７１２９６
【特許文献３】特開２００３−８８６９９
【考案の開示】
【考案が解決しようとする課題】
【０００５】
前述の文献（１）、（２）は吸盤を浴室の壁面等に取付け、この吸盤と紐又は物干し具を利用した洗濯物用の干し具である。しかし、この洗濯物用の干し具は、洗濯物の枚数又は大きさを考慮し、紐、物干し具の拡張又は縮小が図れる構成でない。従って、洗濯物の干し具としての有効性・利便性、又は汎用性に関し改良の余地があること、又は浴室等の狭い空間を有効に利用し、洗濯物を効率よく・風及び／又は光が通り易く干すには問題があり、一層の有効性・利便性等が要求されるところである。
【０００６】
また文献（３）は浴室備え付きの構成であり、本来的に携帯、取外し・取付け等の汎用性を意図しないので、本考案とは一面において、相違する。尚、干し具（物干材）が長短可能であるが、この物干し具の取替えで目的を達成する構成である。従って、本考案の如く、吸盤の個数及び／又は操作と、紐の張装操作を利用した長短及び／又は紐の形態の変化でないので、本質的な相違がある。
【課題を解決するための手段】
【０００７】
請求項１の考案は、複数個の吸盤と可撓性の紐とを利用し、洗濯物の枚数又は大きさを考慮し、紐の拡張又は縮小並びに張装形態の変化を図りつつ、洗濯物を効率よく・風及び／又は光が通り易く干すこと、又は浴室等の如く、狭い空間を利用し、この目的を達成すること等を意図する。また請求項１の考案は、紐の長短可能な張装と、多様な張装等を利用することで、前述の効果を達成することを意図する。
【０００８】
請求項１は、少なくとも３個以上の吸盤を有し、その最初と最後の吸盤に紐を固止し、またこの最初と最後の吸盤間に設けた一個又は複数個の中間の吸盤を前記紐に移動可能に設け、前記最初と中間の吸盤間の紐に洗濯物、又はハンガー、物干し具、吊下げ具（下着を収容する具）等の洗濯器具等の洗濯物干し具を係止できる洗濯物用の簡易干し具である。
【０００９】
請求項２の考案は、請求項１の目的を達成すること、又はこの目的を達成するのに最適な吸盤の構造を提供することを意図する。
【００１０】
請求項２は、請求項１に記載の吸盤の脚にリングを付設し、このリングに前記紐を固止又は挿入する構成とした洗濯物用の簡易干し具である。
【００１１】
請求項３の考案は、請求項１の目的を達成すること、又はこの目的を達成するのに最適な吸盤の構造を提供することを意図する。
【００１２】
請求項３は、請求項１に記載の吸盤は、吸盤本体と脚で構成し、この脚に必要以上の負荷が掛かった際に、当該脚が前記吸盤本体より外れる構成とした洗濯物用の簡易干し具である。
【００１３】
請求項４の考案は、請求項１の目的を達成すること、又はこの目的を達成するのに最適な吸盤の孔の構造を提供することを意図する。
【００１４】
請求項４は、請求項１に記載の紐を、前記中間の吸盤に設けた脚の孔に貫通し、この中間の吸盤を前記紐に沿って移動可能とする構成とした洗濯物用の簡易干し具である。
【００１５】
請求項５の考案は、請求項１の目的を達成すること、又はこの目的を達成するのに最適な紐の張装長さ及び／又は形態を変更可能な構造を提供することを意図する。
【００１６】
請求項５は、請求項１に記載の紐に設けた最初の吸盤と中間の吸盤及び／又は最後の吸盤の取付け間隔を変更することで、この紐の張装長さ及び／又は形態を変更可能な構成とした洗濯物用の簡易干し具である。
【考案の効果】
【００１７】
請求項１の考案は、少なくとも３個以上の吸盤を有し、その最初と最後の吸盤に紐を固止し、また最初と最後の吸盤間に設けた一個又は複数個の中間の吸盤を紐に移動可能に設け、最初と中間の吸盤間の紐に洗濯物、又はハンガー、物干し具等の洗濯器具等の洗濯物干し具を係止できる洗濯物用の簡易干し具である。
【００１８】
従って、請求項１は、複数個の吸盤と可撓性の紐とを利用し、洗濯物の枚数又は大きさを考慮し、紐の拡張又は縮小並びに張装形態の変化を図りつつ、洗濯物を効率よく・風及び／又は光が通り易く干すことができること、又は浴室等の如く、狭い空間を利用し、この目的を達成できること等の特徴を有する。また請求項１は、紐の長短可能な張装と、多様な張装等を利用することで、前述の効果を達成できる実益を有する。
【００１９】
請求項２の考案は、請求項１に記載の吸盤の脚にリングを付設し、リングに紐を固止又は挿入する構成とした洗濯物用の簡易干し具である。
【００２０】
従って、請求項２は、請求項１の目的を達成できること、又はこの目的を達成するのに最適な吸盤の構造を提供できること等の特徴がある。
【００２１】
請求項３の考案は、請求項１に記載の吸盤は、吸盤本体と脚で構成し、脚に必要以上の負荷が掛かった際に、脚が吸盤本体より外れる構成とした洗濯物用の簡易干し具である。
【００２２】
従って、請求項３は、請求項１の目的を達成できること、又はこの目的を達成するのに最適な吸盤の構造を提供できること等の特徴を有する。
【００２３】
請求項４の考案は、請求項１に記載の紐を、中間の吸盤に設けた脚の孔に貫通し、中間の吸盤を紐に沿って移動可能とする構成とした洗濯物用の簡易干し具である。
【００２４】
従って、請求項４は、請求項１の目的を達成できること、又はこの目的を達成するのに最適な吸盤の孔の構造を提供できること等の特徴を有する。
【００２５】
請求項５の考案は、請求項１に記載の紐に設けた最初の吸盤と中間の吸盤及び／又は最後の吸盤の取付け間隔を変更することで、紐の張装長さ及び／又は形態を変更可能な構成とした洗濯物用の簡易干し具である。
【００２６】
従って、請求項５は、請求項１の目的を達成できること、又はこの目的を達成するのに最適な紐の張装長さ及び／又は形態を変更可能な構造を提供できること等の特徴を有する。
【考案を実施するための最良の形態】
【００２７】
本考案の各例を図面を参照して説明する。
【００２８】
先ず、本考案の図面の説明をすると、図１は本考案の第一実施例である３点支持で浴室、部屋、ベランダ等の壁面、フック等の間に取付けた（設置した）簡易形の洗濯物用の簡易干し具の使用の一例を説明した模式図、図２は本考案の第二実施例である３点支持で浴室等の壁面等の間に取付けた簡易形の洗濯物用の簡易干し具の使用の一例を説明した模式図、図３は本考案の第三実施例である３点支持で浴室等の壁面等の間に取付けた簡易形の洗濯物用の簡易干し具の使用の一例を説明した模式図、図４は本考案の第四実施例である３点支持で浴室等の壁面等の間に取付けた簡易形の洗濯物用の簡易干し具の使用の一例を説明した模式図、図５は吸盤の他の例を示した斜視図、図６は図５の背面斜視図、図７−１〜図７−５は吸盤の脚に設けた紐貫通用（貫通は一例である）の孔の各態様を示した要部の断面図である。
【００２９】
次に好ましい一実施例を説明すると、１は紐で、この紐１には複数の吸盤２が設けられている。この吸盤２は、吸盤本体２０と、この吸盤本体２０に立設した脚２１で構成されており、この脚２１に紐１を挿入できるリング３を設ける。またこの吸盤本体２０に取外し用の手段（図示せず）を設けることもあり得る。そして、前述の図１〜図５の例における吸盤２は、紐１を中間の吸盤２ｃのリング３に貫通させ、この中間の吸盤２ｃを移動可能にするとともに、また紐１の始端又は終端を、最初の吸盤２ａ又は最後の吸盤２ｂのリング３に係止し、この最初の吸盤２ａ又は最後の吸盤２ｂによる二点支持で紐１に固定する構成である。また図７−１〜図７−５に示した別の例の吸盤２は、脚２１に孔２２を開設した構成である。そして、この例では、紐１を中間の吸盤２ｃの孔２２に貫通させ、この中間の吸盤２ｃを移動可能にするとともに、また紐１の始端又は終端を、最初の吸盤２ａ又は最後の吸盤２ｂの孔２２に係止し、この最初の吸盤２ａ又は最後の吸盤２ｂを紐１に固定する構成である。そして、この図７−１では、略９０°方向に紐１を誘導できる構造である。また図７−２では、略直線方向に紐１を誘導できる構造である。また図７−３では、略９０°方向から直線方向と、略Ｕ字方向までも紐１を誘導できる構造である。また図７−４では、略９０°方向から直線方向に紐１を誘導できる構造である。さらに図７−５では、直線方向から略１６０°方向までも紐１を誘導できる構造である。何れにしても孔２２の方向性と形態とを利用することで、かなりの方向性をもって紐１を誘導できるので、紐１の張装方向を変更でき、また紐１に負担を掛けることなく張装できる特徴がある。そして、図示しないが、この孔２２に紐１を固止できる。また紐１の終端の固定は、最後の吸盤２ｂに代替し、室内のフック（図示せず）、品物、棚等の場合もあり得る。
【００３０】
そして、図１の第一実施例と、図２の第二実施例を説明すると、この各例では、紐１の始端及び／又は終端に、それぞれ最初の吸盤２ａ又は最後の吸盤２ｂが設けられており、しかもこの最初の吸盤２ａ又は最後の吸盤２ｂの間には支点として機能する中間の吸盤２ｃが設けられているので、この最初の吸盤２ａ（又は最後の吸盤２ｂ）と中間の吸盤２ｃを壁１０、１０（１０とする）間に合わせて適宜調整するとともに、原則として最後の吸盤２ｂ（又は最初の吸盤２ａ）を紐１の終端位置で、それぞれ壁１０（ガラス等の平滑面を含む）の適所（箇所）に吸着（尚、この吸着に替わり磁着、又は係止等の固止を含む）させること（所謂、最初の吸盤２ａと中間の吸盤２ｃによる二点支持）で、この壁間に合せて紐１を撓みなく略直線状に張装できる。従って、使用時に、この紐１を基に一枚又は数枚の洗濯物１１を吊下げれば、適宜の間隔で、それぞれ接触することなく吊下けられる。即ち、最初の吸盤２ａ又は最後の吸盤２ｂの間に中間の吸盤２ｃが設けられていることで、紐１を壁１０間（空間１０ａ）に合せて張装できること、余った紐１を中間の吸盤２ｃ及び最後の吸盤２ｂで緊張状態に支持できること等が最大の特徴であり、各種の空間１０ａに、かつ希望する適所に張装できる特徴がある。例えば、図１と図２に示した構成である。勿論、空間１０ａに合わせて吸着した最後の吸盤２ｂと中間の吸盤２ｃで紐１を張装できれば、本考案の目的を達成できるので、他の構成としては（必要により及び希望により）、この中間の吸盤２ｃに紐１を固止する構成も可能である。また空間１０ａの上下方向等の位置を変更することも可能であるので、例えば、紐１の高さを自由に変更し、洗濯物１１の吊下げ高さ及び／又は洗濯物１１の長さに合せて変更することも可能であり、さらに本考案の目的を活用できて重宝する。尚、図３の第三実施例は、一方の壁１０に最初の吸盤２ａを、対峙する壁１０に支点として機能する中間の吸盤２ｃを、また他方の壁１０に最後の吸盤２ｂをそれぞれ吸着することで、同図の如く、紐１を略倒レ字形に張装できる。さらに図４の第四実施例は、一方の壁１０に最初の吸盤２ａを、対峙する壁１０に中間の吸盤２ｃを、そして、この一方の壁１０に戻って最後の吸盤２ｂをそれぞれ吸着することで、同図の如く、紐１を略倒Ｖ字形に張装できる。以上のようにして紐１を張装した後に、この紐１に洗濯物１１を適宜間隔で吊下げる（干す）。本考案では、最初の吸盤２ａ又は最後の吸盤２ｂと、少なくとも一個又は複数個の中間の吸盤２ｃで、紐１を種々の形態で張装できるので、各種の空間１０ａ、室内外の壁面１０に順応できる。尚、脚２１は、この脚２１に必要以上の負荷が掛かった場合に、脚２１が外れ、吸盤本体２及び／又は紐１、洗濯物１１等の保護と、破損等を回避する（また、同様にリング３が外れる場合もあり得る）。
【００３１】
尚、この紐１を利用して室内の間仕切り、目隠し、又は商品の隠蔽等にも利用できるので、犯罪防止、盗難防止、窃盗防止等に役立ち有益である。また室内の目隠しでは、仮眠、避難時の着替え等人目を避けたい時、外部からの視線を避けること等が可能となり有益である。また本考案の吸盤２の構成では、取付け、取外しの容易化と、各種の空間１０ａ等への対応が可能となり重宝すること、またその作業に、原則として、工具や両面テープ等を使用しないので、室内、壁１０、ガラス面等を傷付けなく使用できる有益性を備えていること等の利点がある。尚、紐１に物干し（図示せず）を吊下させることも可能である。
【００３２】
図５、図６は吸盤２の他の一例であり、吸盤２にフック４を設けた他の例を示す。
【００３３】
図中１２は開閉自在の扉を示す。
【図面の簡単な説明】
【００３４】
【図１】図１は本考案の第一実施例である３点支持で浴室、部屋、ベランダ等の壁面、フック等の間に取付けた（設置した）簡易形の洗濯物用の簡易干し具の使用の一例を説明した模式図
【図２】図２は本考案の第二実施例である３点支持で浴室等の壁面等の間に取付けた簡易形の洗濯物用の簡易干し具の使用の一例を説明した模式図
【図３】図３は本考案の第三実施例である３点支持で浴室等の壁面等の間に取付けた簡易形の洗濯物用の簡易干し具の使用の一例を説明した模式図
【図４】図４は本考案の第四実施例である３点支持で浴室等の壁面等の間に取付けた簡易形の洗濯物用の簡易干し具の使用の一例を説明した模式図
【図５】図５は吸盤の他の例を示した斜視図
【図６】図６は図５の背面斜視図
【図７−１】図７−１は吸盤の脚に設けた紐貫通用の孔の各態様（略９０°方向に紐を誘導できる構造）を示した要部の断面図
【図７−２】図７−２は吸盤の脚に設けた紐貫通用の孔の各態様（略直線方向に紐を誘導できる構造）を示した要部の断面図
【図７−３】図７−３は吸盤の脚に設けた紐貫通用の孔の各態様（略９０°方向から直線方向と、略Ｕ字方向までも紐を誘導できる構造）を示した要部の断面図
【図７−４】図７−４は吸盤の脚に設けた紐貫通用の孔の各態様（略９０°方向から直線方向に紐を誘導できる構造）を示した要部の断面図
【図７−５】図７−５は吸盤の脚に設けた紐貫通用の孔の各態様（直線方向から略１６０°方向までも紐を誘導できる構造）を示した要部の断面図
【符号の説明】
【００３５】
１          紐
２          吸盤
２ａ        最初の吸盤
２ｂ        最後の吸盤
２ｃ        中間の吸盤
２０        吸盤本体
２１        脚
２２        孔
３          リング
４          フック
１０        壁
１０ａ      空間
１１        洗濯物
１２        扉
【図１】
0003113640.tif 000003
【図２】
0003113640.tif 000004
【図３】
0003113640.tif 000005
【図４】
0003113640.tif 000006
【図５】
0003113640.tif 000007
【図６】
0003113640.tif 000008
【図７−１】
0003113640.tif 000009
【図７−２】
0003113640.tif 000010
【図７−３】
0003113640.tif 000011
【図７−４】
0003113640.tif 000012
【図７−５】
0003113640.tif 000013